(57)【要約】【課題】施工が容易であり施工コストを低減できる開閉装置を提供する。【解決手段】雨戸枠１６の枠開口１０を開閉する開閉体（シャッターカーテン）を備えた開閉装置本体と、雨戸枠１６を囲むように建物３の取付枠固定部（外壁５の壁下地）に固定されて開閉装置本体を建物３に取付けるための取付枠とを備え、取付枠は、戸袋１８の近傍に配置される戸袋側縦枠３４を備え、戸袋側縦枠３４は、雨戸枠１６の上枠１６ｃの上方に位置して取付枠固定部に固定される上端側取付部４３ａと、雨戸枠１６の下枠１６ｂの下方に位置して取付枠固定部に固定される下端側取付部４３ｂと、上端側取付部４３ａと下端側取付部４３ｂとを繋いで戸袋１８の雨戸出入口２２の前端２２ｆよりも前側に位置される枠構成部４１と、を備えた。【選択図】図４
2014077243.tif 000002
【特許請求の範囲】
【請求項１】
雨戸を収納するための戸袋を備えた雨戸枠に対応して建物に取付けられる開閉装置であって、
前記雨戸枠の枠開口を開閉する開閉体を備えた開閉装置本体と、前記雨戸枠を囲むように前記建物の取付枠固定部に固定されて前記開閉装置本体を前記建物に取付けるための取付枠とを備え、
前記取付枠は、前記戸袋の近傍に配置される戸袋側縦枠を備え、
前記戸袋側縦枠は、前記雨戸枠の上枠の上方に位置して前記取付枠固定部に固定される上端側取付部と、前記雨戸枠の下枠の下方に位置して前記取付枠固定部に固定される下端側取付部と、前記上端側取付部と前記下端側取付部とを繋いで前記戸袋の雨戸出入口の前端よりも前側に位置される枠構成部と、を備えたことを特徴とする開閉装置。
【請求項２】
前記枠構成部が、上縁と前縁と下縁とで囲まれた後側開口の凹状開口である切欠凹部を備え、
前記切欠凹部は、前記上縁と前記下縁との間の縦長さ寸法が、前記雨戸枠の高さ寸法よりも長い寸法に形成され、前記前縁と前記後側開口の開口縁との間の前後長さ寸法が、前記建物の取付枠固定部から前記戸袋の雨戸出入口の前端までの長さ寸法よりも長い寸法に形成されたことを特徴とする請求項１に記載の開閉装置。
【請求項３】
前記雨戸出入口が形成された前記戸袋の雨戸出入口縦枠と前記戸袋側縦枠の枠構成部の板面とが密着するように前記雨戸出入口縦枠と前記枠構成部とが固定手段で固定されたことを特徴する請求項１又は請求項２に記載の開閉装置。
【請求項４】
前記戸袋側縦枠の前記上端側取付部又は前記下端側取付部が、前記建物の取付枠固定部の存在する位置まで延長するように前記戸袋側縦枠の上端側又は下端側に取付けられた別個の取付板により形成されたことを特徴とする請求項１ないし請求項３のいずれか一項に記載の開閉装置。
【発明の詳細な説明】
【技術分野】
【０００１】
本発明は、建物の開口部に取付けられた戸袋付き雨戸枠に対応して建物に取付けられる後付用の開閉装置に関する。
【背景技術】
【０００２】
建物の外壁に形成されて建物の内外に貫通する開口部の開口縁に窓枠が取付けられ、建物の外側に位置された開閉体としてのシャッターカーテンを駆動させて前記窓枠で囲まれた開口を開閉可能とするために、当該窓枠の上方に位置する外壁に、シャッターカーテン及びシャッターカーテンを開閉駆動させる開閉機構などが収納されたシャッターケースを取付けるとともに、前記窓枠の左右にシャッターカーテンをガイドするガイドレールを設けることによって、前記窓枠に対応して設置される開閉装置が知られている（例えば特許文献１；２等参照）。
また、建物の開口部に取付けられた戸袋付きの雨戸枠に対応させて開閉装置を設置しようとする場合、雨戸枠を囲むように開閉装置の取付下地を増設し、当該取付下地の下地面を雨戸枠の前面よりも前側(建物外壁から離れる方向の側)に位置させる（ふかす）ようにして、前記取付下地に開閉装置を取付けるようにしていた。
【先行技術文献】
【特許文献】
【０００３】
【特許文献２】特開２０１０−１０１０８９号公報
【特許文献１】特開２００４−１１３０３号公報
【発明の概要】
【発明が解決しようとする課題】
【０００４】
上述したように、戸袋を有した雨戸枠に対応させて後付けで開閉装置を設置しようとする場合においては、開閉装置の取付下地を増設していたので、開閉装置の取付工事が煩雑となり施工コストが高くなる懸念がある。
本発明は、施工が容易であり施工コストを低減できる開閉装置を提供する。
【課題を解決するための手段】
【０００５】
本発明に係る開閉装置は、雨戸を収納するための戸袋を備えた雨戸枠に対応して建物に取付けられる開閉装置であって、前記雨戸枠の枠開口を開閉する開閉体を備えた開閉装置本体と、前記雨戸枠を囲むように前記建物の取付枠固定部に固定されて前記開閉装置本体を前記建物に取付けるための取付枠とを備え、前記取付枠は、前記戸袋の近傍に配置される戸袋側縦枠を備え、前記戸袋側縦枠は、前記雨戸枠の上枠の上方に位置して前記取付枠固定部に固定される上端側取付部と、前記雨戸枠の下枠の下方に位置して前記取付枠固定部に固定される下端側取付部と、前記上端側取付部と前記下端側取付部とを繋いで前記戸袋の雨戸出入口の前端よりも前側に位置される枠構成部と、を備えたことを特徴とする。
前述した「建物の取付枠固定部」は、取付枠を固定できて当該取付枠及び当該取付枠に取付けられる開閉装置本体を保持する強度が確保される建物構成部分であればよい。取付枠固定部として好ましい建物構成部分としては例えば外壁の壁下地が考えられる。また、取付枠固定部は、例えば、壁自体やサッシュ枠でも良く、さらには雨戸枠自体や戸袋自体であってもよい。また、取付枠は、同一種の建物構成部分に固定される必要はなく、例えば一部が雨戸枠に固定され、他の部分は外壁の壁下地に固定される構成であってもよい。
また、前述した「戸袋の近傍」とは、戸袋側縦枠が、戸袋と接触している場合、戸袋と前後方向に全部又は一部が重なっている場合、及び、戸袋から若干離間している場合を意味している。ここで、「戸袋から若干離間している」とは、何らかの理由（例えば戸袋と接触はさせたいが固定できる建物構成部分がその箇所には無くて、図３で示す右方向に若干離間した場所に固定せざるを得ない場合や枠構成部の形状や位置等の関係で接触等ができない場合等の理由）で、戸袋とは関係しているものの戸袋から例えば数十センチメートル程度以内の範囲で離間している場合を言う。
前記枠構成部が、上縁と前縁と下縁とで囲まれた後側開口の凹状開口である切欠凹部を備え、前記切欠凹部は、前記上縁と前記下縁との間の縦長さ寸法が、前記雨戸枠の高さ寸法よりも長い寸法に形成され、前記前縁と前記後側開口の開口縁との間の前後長さ寸法が、前記建物の取付枠固定部から前記戸袋の雨戸出入口の前端までの長さ寸法よりも長い寸法に形成されたことも特徴とする。
前記雨戸出入口が形成された前記戸袋の雨戸出入口縦枠と前記戸袋側縦枠の枠構成部の板面とが密着するように前記雨戸出入口縦枠と前記枠構成部とが固定手段で固定されたことも特徴する。
前記戸袋側縦枠の前記上端側取付部又は前記下端側取付部が、前記建物の取付枠固定部の存在する位置まで延長するように前記戸袋側縦枠の上端側又は下端側に取付けられた別個の取付板により形成されたことも特徴とする。
【発明の効果】
【０００６】
本発明に係る開閉装置によれば、戸袋側縦枠が、雨戸枠の上枠の上方に位置して建物の取付枠固定部に固定される上端側取付部と、雨戸枠の下枠の下方に位置して建物の取付枠固定部に固定される下端側取付部と、上端側取付部と下端側取付部とを繋いで戸袋の雨戸出入口の前端よりも前側に位置される枠構成部と、を備えたので、施工が容易となり施工コストを低減できる。
また、枠構成部が、上縁と前縁と下縁とで囲まれた後側開口の凹状開口である切欠凹部を備え、切欠凹部は、上縁と前記下縁との間の縦長さ寸法が、雨戸枠の高さ寸法よりも長い寸法に形成され、前縁と後側開口の開口縁との間の前後長さ寸法が、建物の取付枠固定部から戸袋の雨戸出入口の前端までの長さ寸法よりも長い寸法に形成されたので、雨戸出入口を介して戸袋に雨戸を出し入れ可能となり、雨戸も使用可能となる。
さらに、雨戸出入口が形成された戸袋の雨戸出入口縦枠と戸袋側縦枠の枠構成部の板面とが密着するように雨戸出入口縦枠と枠構成部とが固定手段で固定されたので、雨戸出入口縦枠の外側面と枠構成部の板面との間を介して雨戸枠の内側に風雨が進入してしまうようなことを防止できる。
また、戸袋側縦枠の上端側取付部又は下端側取付部が、建物の取付枠固定部の存在する位置まで延長するように前記戸袋側縦枠の上端側又は下端側に取付けられた別個の取付板により形成されたので、建物の取付枠固定部に応じて戸袋側縦枠を取付枠固定部に固定することができるようになる。
【図面の簡単な説明】
【０００７】
【図１】戸袋付き雨戸枠に対応して建物に取付けられた開閉装置を示す正面図（実施形態１）。
【図２】開閉装置の分解斜視図を示す正面図（実施形態１）。
【図３】戸袋付き雨戸枠に対応して建物に取付けられた開閉装置を示す斜視図（実施形態１）。
【図４】戸袋側縦枠と戸袋の雨戸出入口縦枠との取付構造を示す分解斜視図（実施形態１）。
【図５】戸袋側縦枠が戸袋の雨戸出入口縦枠に取付けられた状態を示す斜視図（実施形態１）。
【図６】戸袋付き雨戸枠に対応して建物に取付けられた開閉装置を示す断面図（図１のＡ−Ａ断面相当図）（実施形態１）。
【図７】戸袋側縦枠を示す斜視図であり、（ａ）は分解斜視図、（ｂ）は斜視図（実施形態１）。
【図８】戸袋側縦枠を示す斜視図であり、（ａ）は分解斜視図、（ｂ）は斜視図（実施形態２）。
【図９】戸袋側縦枠を示す斜視図であり、（ａ）は分解斜視図、（ｂ）は斜視図（実施形態２）。
【発明を実施するための形態】
【０００８】
実施形態１
図１ないし図３に示すように、実施形態１の開閉装置１は、雨戸１７を収納するための戸袋１８を備えた雨戸枠１６に対応して建物３に取付けられる開閉装置であって、雨戸枠１６の枠開口１０を開閉する開閉体を備えた開閉装置本体２と、雨戸枠１６を囲むように建物３の取付枠固定部に固定されて開閉装置本体２を建物３に取付けるための取付装置としての取付枠４と、を備える。実施形態１では、取付枠４を、建物３の取付枠固定部の一例としての外壁５の壁下地５７（図６参照）に取付ける場合を例にして説明する。
開閉装置本体２は、開閉体としてのシャッターカーテン９１、シャッターカーテン９１が巻き取り及び繰り出し可能に取付けられたシャフト９２、シャフト９２の回転中心線を回転中心として当該シャフト９２を回転させる図外の回転駆動機構、シャフト９２の両端を回転可能に支持する端部ブラケット９３、シャフト９２及び回転駆動機構並びに図外の制御装置等を収納するケース９４、シャッターカーテン９１を開閉方向にガイドするガイドレール９５等を備えた、所謂シャッター装置である。
取付枠４は、建物３の外壁５に建物３の内外に貫通するように形成された開口部６を囲むように建物３の外壁５に固定され、雨戸１７を収納するための戸袋１８を有した雨戸ユニット付窓装置７の前側でシャッターカーテン９１が雨戸ユニット付窓装置７の雨戸枠１６の枠開口１０を開閉可能となるように開閉装置本体２を建物３に取付けるための枠である。
前記取付枠４は止ねじ１１等の固定手段により建物３の外壁５に固定されるとともに、当該取付枠４を形成する左右の縦枠３３；３４のうちの一の縦枠である戸袋側縦枠３４が止ねじ１２等の固定手段により戸袋枠１９の雨戸出入口縦枠２１に固定される。
尚、本明細書において、「前側」とは、建物３の壁５と直交する方向において建物３から建物３の外側に離れる側を言う（図３参照）。
【０００９】
雨戸枠１６の上枠１６ｃの上方に位置する外壁５の壁下地５７（図６参照）に止ねじ１１で固定される取付枠４の上枠３１とまぐさ３５との間の領域にシャフト９２及び回転駆動機構等が設置されて、端部ブラケット９３；９３が後述する端支持部４４に固定され、ケース９４が上枠３１及び端部ブラケット９３；９３に連結されてシャフト９２及び回転駆動機構等の前側を覆うように設置される。
【００１０】
また、取付枠４の基本形縦枠３３は、雨戸枠１６の縦枠１６ａの外側に位置されて（図６参照）、取付部４３が外壁５の壁下地５７に止ねじ１１で固定され、当該基本形縦枠３３の前部に設けられたガイドレール取付部４２にガイドレール９５が取付けられる（図２参照）。
また、図４；５に示すように、取付枠４の戸袋側縦枠３４は、雨戸枠１６と戸袋１８との境界位置に位置されて、雨戸枠１６の上枠１６ｃの上方に位置される上端側取付部４３ａが外壁５の壁下地５７に止ねじ１１で固定されるとともに、雨戸枠１６の下枠１６ｂの下方に位置される下端側取付部４３ｂが外壁５の壁下地５７に止ねじ１１で固定され、さらに、上下の中央部分が雨戸枠１６と戸袋１８との境界位置に位置される雨戸出入口縦枠２１に形成された雨戸出入口２２の前側を経由して当該戸袋１８の雨戸出入口縦枠２１に止ねじ１２で固定される。当該戸袋側縦枠３４の前部に設けられたガイドレール取付部４２にガイドレール９５が取付けられる（図２参照）。
【００１１】
以上のように、取付枠４が雨戸枠１６の外側を囲むように配置されて外壁５の壁下地５７に止ねじ１１で固定されるとともに、戸袋側縦枠３４が戸袋１８の雨戸出入口縦枠２１に形成された雨戸出入口２２の前側に止ねじ１２で固定され、このように固定された取付枠４に開閉装置本体２が取付けられて実施形態１の開閉装置１が構成される（図２参照）。
【００１２】
図２に示すように、雨戸ユニット付窓装置７は、窓部１２Ａと、雨戸ユニット１３とを備える。
窓部１２Ａは、建物３の壁５に開口された開口部６を囲むように開口部６の開口縁に取付けられた窓枠１４と、窓枠１４の枠開口９を開閉可能なように窓枠１４の内側に取付けられた引違い開閉戸１５とを備える。窓枠１４は、上枠、下枠、左右の縦枠で囲まれた四角形枠である。
雨戸ユニット１３は、雨戸枠１６と、雨戸１７と、戸袋１８とを備える。
雨戸枠１６は、窓枠１４より前側に延長するように例えば窓枠１４と一体に形成されて、左右いずれか一方の縦枠が除去された構成である。即ち、雨戸枠１６は左右いずれかの縦枠１６ａと下枠１６ｂと上枠１６ｃとにより構成された三方枠により構成される。
雨戸１７は、雨戸枠１６の下枠１６ｂと上枠１６ｃとの間に装着されて上下の枠の互いに対向する面に形成された図外のレール上を左右に往復移動可能なように設けられる。
戸袋１８は、戸袋枠１９と、戸袋枠１９の前方開口１９ａを覆う鏡板２０とを備えた構成である。戸袋枠１９の上枠、下枠、左右の縦枠で囲まれた四角形枠であり、左右いずれか一方の縦枠、即ち、雨戸出入口縦枠２１には、当該雨戸出入口縦枠２１を貫通する貫通孔により形成された雨戸出入口２２が設けられる（図４参照。尚、図４；５においては、戸袋１８の鏡板２０を省略して図示している。）。
即ち、図４に示すように、雨戸枠１６の縦枠が除去された左右いずれかの側部２３と戸袋枠１９の雨戸出入口２２が設けられた左右いずれか一方の縦枠である雨戸出入口縦枠２１とが互いに隣り合うように位置され、雨戸枠１６のレール上を移動可能な雨戸１７が戸袋枠１９の雨戸出入口２２を経由して戸袋１８内に移動可能なように構成されている。
【００１３】
雨戸出入口２２は、雨戸出入口縦枠２１の上下方向に延長する縦長の四角形状の貫通孔により形成され、雨戸出入口２２の縦寸法（高さ寸法）は雨戸１７の縦寸法よりも大きい寸法に形成され、雨戸出入口２２の幅寸法（前後幅寸法）は雨戸１７の厚さ寸法よりも大きい寸法に形成される。そして、戸袋１８の内部空間である雨戸収納部１８ａの左右幅寸法は、雨戸１７の左右幅寸法よりも大きい寸法に形成される。
つまり、雨戸１７は、雨戸出入口２２を経由して、雨戸枠１６のレール上を移動して窓枠１４の前側に位置されて窓枠１４の枠開口９の前方を覆う使用状態と、戸袋１８の雨戸収納部１８ａに収納された収納状態とに設定可能とされる。
【００１４】
図２に示すように、取付枠４は、上枠３１、下枠３２、左右の縦枠３３；３４、まぐさ３５を備えた構成である。
上枠３１は、左右方向に長い長尺板部３１ａと長尺板部３１ａの一方の長辺縁である後側縁より立ち上がって止ねじ１１により外壁５の壁下地５７に固定される取付部３１ｂとを備える。
下枠３２は、左右方向に長い長尺板部３２ａと長尺板部３２ａの一方の長辺縁である後側縁より立ち上がって止ねじ１１により外壁５の壁下地５７に固定される取付部３２ｂとを備える。
まぐさ３５は、左右方向に長い長尺板部３５ａと長尺板部３５ａの一方の長辺縁である後側縁より立ち上がって止ねじ１１により外壁５の壁下地５７に固定される取付部３５ｂとを備える。
左右の縦枠３３；３４のうちの一方の縦枠は雨戸枠１６の縦枠１６ａに沿って上下に延長するように設けられる基本形縦枠３３であり、左右の縦枠３３；３４のうちの他方の縦枠は戸袋１８の雨戸出入口２２に沿って上下に延長するように設けられる戸袋側縦枠３４である。
【００１５】
基本形縦枠３３は、枠構成部４１と、ガイドレール９５が取付けられるガイドレール取付部４２と、外壁の壁下地に取付けられる取付部４３と、端部ブラケット９３が取付けられる端支持部４４とを備える。
枠構成部４１は、雨戸枠１６の縦枠１６ａの外側に位置されて当該縦枠１６ａの外側面１６ｆ（図６参照）と対向する上下方向に長い帯状の長尺な板部により構成される。
ガイドレール取付部４２は、枠構成部４１の長尺な板部の一方の長辺縁側において当該板部より延長するように設けられて雨戸枠１６の前側において上下方向に延長するよう形成される（図２参照）。尚、ガイドレール９５は、断面凹形状の長尺材により形成される。そして、例えば、ガイドレール取付部４２に形成された係合部とガイドレール９５に形成された係合部とが互いに係合し合う係合構造９６によってガイドレール９５がガイドレール取付部４２に取付けられている。
取付部４３は、枠構成部４１の長尺な板部の他方の長辺縁に設けられて建物３の外壁５と対向する板部により構成される。
端支持部４４は、枠構成部４１の上端側に図外のねじ等により取付けられた板材により形成される。当該端支持部４４に端部ブラケット９３が固定され、当該端部ブラケット９３が当該端支持部４４を介して基本形縦枠３３で支持される。
枠構成部４１の板部の板面が雨戸枠１６の縦枠１６ａの外側に位置されて当該縦枠１６ａの外側面１６ｆと平行に対向するように位置され、ガイドレール取付部４３が雨戸枠１６の前側に位置され、端支持部４４が雨戸枠１６の上枠１６ｃの上方に位置されるように、当該基本形縦枠３３が位置決めされた後に、基本形縦枠３３の取付部４３を外壁５の壁下地５７に止ねじ１１で固定することによって、基本形縦枠３３が外壁５に固定される。
【００１６】
図４；図７に示すように、戸袋側縦枠３４は、基本形縦枠３３と比較して、雨戸枠１６を避けるための切欠凹部５０を有した枠構成部４１を備えていることが異なる。即ち、基本形縦枠３３の枠構成部４１から枠構成部４１の長尺な板部の他方の長辺縁側の部分が除去されて切欠凹部５０が形成された構成の戸袋側縦枠３４を用いる。従って、枠構成部４１の長尺な板部の長手方向の一端側に建物３の外壁５と対向する上端側取付部４３ａが設けられ、かつ、枠構成部４１の長尺な板部の長手方向の他端側に建物３の外壁５と対向する下端側取付部４３ｂが設けられた構成である。
【００１７】
切欠凹部５０は、上縁５１と前縁５２と下縁５３とで囲まれた後側開口の凹状開口である。
切欠凹部５０は、上縁５１と下縁５３との間の縦長さ寸法が、雨戸枠１６の高さ寸法よりも長い寸法に形成され、前縁５２と後側開口の開口縁５４との間の前後長さ寸法が、外壁５から戸袋１８の雨戸出入口２２の前端２２ｆまでの長さ寸法よりも長くて、かつ、外壁５から戸袋１８の雨戸出入口縦枠２１の前端２１ｆまでの長さ寸法よりも短い寸法に形成される（図４；図７参照）。
【００１８】
そして、図４；図５に示すように、切欠凹部５０の上縁５１が雨戸枠１６の上枠１６ｃよりも上方に位置され、下縁５３が雨戸枠１６の下枠１６ｂよりも下方に位置され、前縁５２が戸袋１８の雨戸出入口２２よりも前側に位置され、枠構成部４１の板面と戸袋１８の雨戸出入口２２が形成された戸袋枠１９の雨戸出入口縦枠２１の外側面２１ａとが接触するように、戸袋側縦枠３４が位置決めされた後に、上側取付部４３ａ及び下側取付部４３ｂを外壁５の壁下地５７に止ねじ１１等の固定手段で固定するとともに、戸袋枠１９の雨戸出入口縦枠２１の外側面２１ａと枠構成部４１の板面とが密着するように戸袋枠１９の雨戸出入口縦枠２１と枠構成部４１とを止ねじ１２等の固定手段で固定することによって、戸袋側縦枠３４が外壁５及び戸袋１８に固定される。
【００１９】
基本形縦枠３３及び戸袋側縦枠３４は、例えば、枠構成部４１、ガイドレール取付部４２、取付部４３、端支持部４４のうちの１つ以上の部品が個別に形成されてこれら部品が組み合わされて形成された構成であってもよいし、枠構成部４１、ガイドレール取付部４２、取付部４３、端支持部４４が一体形成された構成であってもよい。
【００２０】
取付枠４の取付手順の一例を説明する。
まず、上枠３１、下枠３２、基本形縦枠３３、戸袋側縦枠３４、まぐさ３５を、図外のねじ等の連結手段により組み立てて取付枠４を形成する。
次に、戸袋側縦枠３４の切欠凹部５０内に雨戸枠１６及び戸袋１８が嵌り込むように戸袋側縦枠３４を設置し、戸袋側縦枠３４の取付部４３ａ；４３ｂ、及び、下枠３２の取付部３２ｂをそれぞれ止ねじ１１等の固定手段で外壁５の壁下地５７に固定することで、戸袋側縦枠３４及び下枠３２を壁下地５７に固定するとともに、戸袋１８の雨戸出入口２２が形成された雨戸出入口縦枠２１の外側面２１ａと戸袋側縦枠３４の枠構成部４１の板面とを面接触させた状態で当該雨戸出入口縦枠２１の外側面２１ａと枠構成部４１の板面とを止ねじ１２等の固定手段で固定することによって戸袋側縦枠３４を戸袋１８に固定する。そして、雨戸出入口縦枠２１の外側面２１ａを基準面として、基本形縦枠３３、上枠３１、まぐさ３５の倒れなどの状態をチェックした後に、当該基本形縦枠３３、上枠３１、まぐさ３５の、それぞれ取付部４３、取付部３１ｂ、取付部３５ｂを止ねじ１１等の固定手段で外壁５の壁下地５７に固定することで、当該基本形縦枠３３、上枠３１、まぐさ３５を外壁５の壁下地５７に固定する。
取付枠４の取付作業においては、戸袋１８や雨戸枠１６との関連性が大きい戸袋側縦枠３４を最初に設置及び壁下地５７に固定し、当該固定された戸袋側縦枠３４を基準として取付枠４のその他の上枠３１、下枠３２、基本形縦枠３３、まぐさ３５を固定することが、戸袋側縦枠３４と戸袋１８との位置が確定することや意匠性（例えば雨戸枠１６とのずれを少なくする等）の観点からも好ましい。
尚、取付枠４を組み立ててから固定するのではなく、上枠３１、下枠３２、基本形縦枠３３、戸袋側縦枠３４、まぐさ３５を、それぞれ個別に設置、固定するようにしても良く、この場合においても最初に戸袋側縦枠３４を設置、固定していくことが、上述したような、戸袋側縦枠３４と戸袋１８との位置の確定や意匠性の観点から好ましい。
【００２１】
以上により、取付枠４が、雨戸枠１６を囲むように外壁５の壁下地５７に取付けられる。そして、取付枠４に開閉装置本体２が取付けられて開閉装置１が構成される。
【００２２】
実施形態１によれば、外壁５への取付部である上端側取付部４３ａ及び下端側取付部４３ｂとを備えた戸袋側縦枠３４を用いるので、従来のように、取付下地の下地面を雨戸枠１６の前面よりも前側に位置させる（ふかす）ようにする必要がなくなることから、施工が容易となり施工コストを低減できる。
また、雨戸枠１６を収納可能でかつ雨戸出入口２２を塞がない切欠凹部５０を備えた戸袋側縦枠３４を用いるので、雨戸出入口２２を介して戸袋１８に雨戸１７を出し入れ可能となり、雨戸１７も使用可能となる。
さらに、戸袋枠１９の雨戸出入口縦枠２１の外側面２１ａと戸袋側縦枠３４の枠構成部４１の板面とが密着するように戸袋枠１９の雨戸出入口縦枠２１と戸袋側縦枠３４の枠構成部４１とが止ねじ１２等の固定手段で固定され、雨戸出入口縦枠２１の外側面２１ａと枠構成部４１の板面とが密着するので、雨戸出入口縦枠２１の外側面２１ａと枠構成部４１の板面との間を介して窓部１２Ａ側に風雨が進入してしまうようなことを防止できる。
【００２３】
実施形態２
戸袋側縦枠３４の上端側取付部４３ａを壁下地５７に固定しようとする場合において、上端側取付部４３ａと対応する位置は、雨戸枠１６の上枠１６ｃより上方に離れた位置になるため、上端側取付部４３ａと対応する位置に壁下地５７が存在しない場合がある。このような場合においては、取付部を壁下地５７の存在する位置まで延長させるために戸袋側縦枠３４の上端側に別個の取付板を設けるようにする。
例えば、上端側取付部４３ａと対応する位置よりも左側（例えば図１の戸袋１８側）に壁下地５７が存在する場合には、図８に示すように、上端側から左側に延長するような取付板７１を設けて上端側取付部が形成された戸袋側縦枠３４Ａを用いればよい。また、上端側取付部４３ａと対応する位置よりも右側（例えば図１の基本形縦枠３３側）に壁下地５７が存在する場合には、図９に示すように、上端側から右側に延長するような取付板７２を設けて上端側取付部が形成された戸袋側縦枠３４Ｂを用いればよい。
取付板７１や取付板７２は、例えば、外壁５と直交する方向に延長する基板部７４と取付部７５とを備えた断面Ｌ字状のアングル板材により形成される。例えば、枠構成部４１の板面の上端部と端支持部４４との間に基板部７４を挟み込んでこれら三者を図外の止ねじ等の固定手段で固定することによって、上端側に取付板７１により形成された上端側取付部を備えた戸袋側縦枠３４Ａや、上端側に取付板７２により形成された上端側取付部を備えた戸袋側縦枠３４Ｂを構成すればよい。
【００２４】
実施形態２によれば、壁下地５７の配置状態に応じて戸袋側縦枠３４を壁下地５７に確実に固定することができるようになる。
尚、戸袋側縦枠３４の下他端側取付部や、基本形縦枠３３の取付部４３も同様に構成すれば、同様の効果が得られる。
【００２５】
尚、上記では、戸袋枠１９の雨戸出入口縦枠２１の外側面２１ａと戸袋側縦枠３４の枠構成部４１の板面とが密着するように戸袋枠１９の雨戸出入口縦枠２１と枠構成部４１とが止ねじ１２等の固定手段で固定される戸袋側縦枠３４を用いた例を示したが、戸袋１８の上枠、戸袋の前面、戸袋１８の下枠を取り囲むことが可能な切欠凹部を備え、当該切欠凹部の前縁が戸袋１８の前側に位置されて戸袋１８の前面と対向するように設置される戸袋側縦枠を用いてもよい。
【００２６】
即ち、戸袋側縦枠３４は、戸袋１８の近傍に配置されて、雨戸枠１６の上枠１６ｃの上方に位置して建物の取付枠固定部（取付枠４を固定できて当該取付枠４及び当該取付枠４に取付けられる開閉装置本体２を保持する強度が確保される建物構成部分であって、例えば外壁５の壁下地５７、壁自体、サッシュ枠、雨戸枠自体、戸袋自体等）に固定される上端側取付部と、雨戸枠１６の下枠１６ｂの下方に位置して建物の取付枠固定部に固定される下端側取付部と、上端側取付部と下端側取付部とを繋いで戸袋１８の雨戸出入口２２の前端２２ｆよりも前側に位置される枠構成部とを備えた構成であればよい。
【００２７】
本発明は、鏡板の無い戸袋、欄間付戸袋にも適用可能である。
【００２８】
本発明は、電動式シャッター装置、手動式シャッター装置のいずれにも適用できる。
【００２９】
本発明の適用対象となる開閉装置の開閉体をシャッターカーテンとした場合、その構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組み合せたシャッターカーテンでもよい。所謂、オーバヘッドタイプのシャッターカーテンにも適用できる。
【００３０】
本発明は、ガイドレールを備え、このガイドレールに開閉体が案内されるようなブラインド、ロールスクリーン装置、防煙垂れ幕などの開閉装置にも適用可能である。
【符号の説明】
【００３１】
１  開閉装置、２  開閉装置本体、３  建物、４  取付枠、５  外壁、１０  枠開口、１２  止ねじ（固定手段）、１６  雨戸枠、１６ｂ  下枠、１６ｃ  上枠、１７  雨戸、１８  戸袋、２１  雨戸出入口縦枠、２２  雨戸出入口、２２ｆ  雨戸出入口の前端、
３４  戸袋側縦枠、４１  枠構成部、４３ａ  上端側取付部、４３ｂ  下端側取付部、
５０  切欠凹部、５１  上縁、５２  前縁、５３  下縁、５４  開口縁、５７  壁下地、
７１；７２  取付板、９１  シャッターカーテン（開閉体）。
【図１】
2014077243.tif 000003
【図２】
2014077243.tif 000004
【図３】
2014077243.tif 000005
【図４】
2014077243.tif 000006
【図５】
2014077243.tif 000007
【図６】
2014077243.tif 000008
【図７】
2014077243.tif 000009
【図８】
2014077243.tif 000010
【図９】
2014077243.tif 000011